(57)【要約】【課題】ストッパーの初期位置の調整によって、打球槌による遊技球の発射強度の初期調整を正確かつ容易に行うことができる球発射装置を提供すること。【解決手段】遊技機用の球発射装置１は、取付ベース２と、取付ベース２に配設された駆動源２６と、駆動源２６の出力部２６１に取り付けられ、待機位置３０１から発射位置に回動して遊技球を打球する打球槌３と、取付ベース２に対して移動又は回動可能に取り付けられ、待機位置３０１にある打球槌３に接触するストッパー４とを備えている。ストッパー４は、打球槌３が待機位置３０１から発射位置に回動する際の回動量を決定するよう構成されている。球発射装置１は、打球槌３の回動量を、遊技球の発射強度を左右する、予め設定した複数段階の調整回動量に段階的に変更可能な構造を有している。【選択図】図１
2014226401.tif 000002
【特許請求の範囲】
【請求項１】
取付ベースと、
該取付ベースに配設された駆動源と、
該駆動源の出力部に取り付けられ、待機位置から発射位置に回動して遊技球を打球する打球槌と、
上記取付ベースに対して移動又は回動可能に取り付けられ、上記待機位置にある打球槌に接触して、該打球槌が上記待機位置から上記発射位置に回動する際の回動量を決定するストッパーと、を備える遊技機用の球発射装置であって、
上記ストッパーは、上記打球槌の上記回動量を、予め設定した複数段階の調整回動量に段階的に変更可能な構造を有していることを特徴とする遊技機用の球発射装置。
【請求項２】
上記ストッパーは、上記取付ベースに設けられた軸部の回りの複数の取付姿勢に調整可能であることを特徴とする請求項１に記載の遊技機用の球発射装置。
【請求項３】
上記ストッパーは、上記軸部の軸方向に対して平行な複数の側面によって多角形状に形成されており、
上記複数段階の調整回動量は、上記複数の側面におけるいずれかの側面が上記打球槌に面接触するときの上記ストッパーの取付姿勢によって決定されることを特徴とする請求項２に記載の遊技機用の球発射装置。
【請求項４】
上記ストッパーと上記取付ベースとには、目視によって識別可能で、上記ストッパーが上記複数段階の調整回動量を決定する上記取付姿勢になったときに互いに照合する識別表示部が設けられていることを特徴とする請求項３に記載の遊技機用の球発射装置。
【発明の詳細な説明】
【技術分野】
【０００１】
本発明は、遊技機における遊技領域へ遊技球を発射する球発射装置に関する。
【背景技術】
【０００２】
パチンコ遊技機等の遊技機においては、球発射装置によって発射レールに置かれた遊技球を打球し、この遊技球を遊技盤における遊技領域へ発射させている。球発射装置においては、遊技機の組立作業時に打球槌の停止位置を調整することにより、この停止位置から発射位置までの打球槌のストローク量を変化させ、遊技球の初期状態での発射強度を適正値に保つようにしている。打球槌の停止位置の調整は、打球槌に接触するストッパー部材の位置を移動させることによって行っている。
例えば、特許文献１のパチンコ機の玉発射装置においては、槌のスタートストッパー及びエンドストッパーが、前面枠を開いた時に露出するように、槌が枢着されたセット板の下部位置に、スタートストッパーの止めねじ及びエンドストッパーの止めねじを前面に向けて取り付けることが開示されている。
【先行技術文献】
【特許文献】
【０００３】
【特許文献１】特開平８−９８９１７号公報
【発明の概要】
【発明が解決しようとする課題】
【０００４】
しかしながら、ストッパー部材（スタートストッパー）の初期位置の調整は、遊技機の組立作業者がアナログ的（連続的）な位置調整をすることによって行っている。そのため、ストッパー部材の初期位置の調整を正確に行うためには、組立作業者の熟練を必要とする、又は専用の治具等を用いる必要が生じてしまう。従って、打球槌による遊技球の発射強度の初期調整を容易に行うことができない。
【０００５】
本発明は、かかる背景に鑑みてなされたもので、ストッパーの初期位置の調整によって、打球槌による遊技球の発射強度の初期調整を正確かつ容易に行うことができる球発射装置を提供しようとして得られたものである。
【課題を解決するための手段】
【０００６】
本発明の一態様は、取付ベースと、
該取付ベースに配設された駆動源と、
該駆動源の出力部に取り付けられ、待機位置から発射位置に回動して遊技球を打球する打球槌と、
上記取付ベースに対して移動又は回動可能に取り付けられ、上記待機位置にある打球槌に接触して、該打球槌が上記待機位置から上記発射位置に回動する際の回動量を決定するストッパーと、を備える遊技機用の球発射装置であって、
上記ストッパーは、上記打球槌の上記回動量を、予め設定した複数段階の調整回動量に段階的に変更可能な構造を有していることを特徴とする遊技機用の球発射装置にある。
【発明の効果】
【０００７】
上記遊技機用の球発射装置において、ストッパーは、打球槌の回動量を、予め設定した複数段階の調整回動量に段階的に変更可能な構造を有している。そして、球発射装置の組立時等に、打球槌による遊技球の発射強度を調整する際には、ストッパーの位置を、打球槌の複数段階の調整回動量に合わせて段階的に変更することができる。これにより、組立時等においてストッパーの位置調整を専用の治具等を用いずに正確に行うことができる。
それ故、上記球発射装置によれば、ストッパーの初期位置の調整によって、打球槌による遊技球の発射強度の初期調整を正確かつ容易に行うことができる。
【図面の簡単な説明】
【０００８】
【図１】実施例１にかかる、遊技機用の球発射装置を示す斜視図。
【図２】実施例１にかかる、遊技機用の球発射装置を示す正面図。
【図３】実施例１にかかる、取付ベースの台座部に取り付けられたストッパーを示す正面図。
【図４】実施例１にかかる、取付ベースの台座部とストッパーとカバーとの関係を、裏面側から見た状態で示す斜視図。
【図５】実施例１にかかる、取付ベースの台座部とストッパーとカバーとの関係を、側方から見た状態で示す断面図。
【図６】実施例２にかかる、打球槌とストッパーとの構成を示す断面斜視図。
【図７】実施例２にかかる、打球槌とストッパーとの構成を示す正面図。
【図８】実施例２にかかる、打球槌とストッパーとの他の構成を示す正面図。
【図９】実施例２にかかる、打球槌とストッパーとの他の構成を示す正面図。
【図１０】実施例２にかかる、打球槌とストッパーとの他の構成を示す正面図。
【発明を実施するための形態】
【０００９】
上述した遊技機用の球発射装置における好ましい実施の形態につき説明する。
上記遊技機用の球発射装置においては、上記ストッパーは、上記取付ベースに設けられた軸部の回りの複数の取付姿勢に調整可能であってもよい。
この場合には、ストッパーを、軸部の回りに回すことにより、打球槌の回動量を段階的に変更することが一層容易になる。また、ストッパーの位置調整を行う際に、ストッパーの外周形状が大きく変化しないため、移動空間として周辺に余分なスペースを設ける必要がなく、球発射装置の全体を小さく維持することができる。
【００１０】
また、上記ストッパーは、上記軸部の軸方向に対して平行な複数の側面によって多角形状に形成されており、上記複数段階の調整回動量は、上記複数の側面におけるいずれかの側面が上記打球槌に面接触するときの上記ストッパーの取付姿勢によって決定されてもよい。
この場合には、ストッパーの多角形状の側面におけるいずれかを打球槌と面接触させることにより、打球槌との接触面積が小さい場合に比べて、ストッパーを、摩耗しにくくして、長期間安定して使用することができる。
【００１１】
また、上記ストッパーと上記取付ベースとには、目視によって識別可能で、上記ストッパーが上記複数段階の調整回動量を決定する上記取付姿勢になったときに互いに照合する識別表示部が設けられていてもよい。
この場合には、識別表示部を目視することにより、ストッパーの取付姿勢を容易に識別することができる。
【実施例】
【００１２】
以下に、遊技機用の球発射装置にかかる実施例につき、図面を参照して説明する。
本例の遊技機用の球発射装置１は、図１に示すごとく、取付ベース２と、取付ベース２に配設された駆動源２６と、駆動源２６の出力部２６１に取り付けられ、待機位置３０１から発射位置３０２に回動して遊技球を打球する打球槌３と、取付ベース２に対して移動又は回動可能に取り付けられ、待機位置３０１にある打球槌３に接触するストッパー４とを備えている。ストッパー４は、打球槌３が待機位置３０１から発射位置３０２に回動する際の回動量を決定するよう構成されている。球発射装置１は、打球槌３の回動量を、遊技球の発射強度を左右する、予め設定した複数段階の調整回動量に段階的に変更可能な構造を有している。
【００１３】
以下に、本例の遊技機用の球発射装置１につき、図１〜図５を参照して詳説する。
本例の遊技機はパチンコ遊技機であり、球発射装置１は、発射レールに置かれた遊技球を打球して、この遊技球を遊技盤における遊技領域へ発射させるものである。球発射装置１は、遊技機の本体枠に配設されており、本体枠に配設された整流器から発射レールに１つずつ載置される遊技球を打球するよう構成されている。
図１、図２に示すごとく、打球槌３は、駆動源２６の出力部（出力軸）２６１に取り付けられており、駆動源２６におけるコイル２６４が断続的に通電されたときに待機位置３０１から発射位置３０２へ回動して遊技球を打球するよう構成されている。また、打球槌３は、発射位置３０２に回動した後には、その自重によって発射位置３０２から待機位置３０１へ回動するよう構成されている。
【００１４】
打球槌３は、金属製のプレート状本体部３１と、プレート状本体部３１における打球位置に設けられた樹脂製の打球部３２とによって形成されている。プレート状本体部３１は、駆動源２６の出力部２６１が取り付けられる回動中心部３４から径方向の一方側に延びるアーム部３１１に打球部３２を設け、径方向の他方側に延びるアーム部がウェイト部３３として機能するようになっている。
打球部３２には、ストッパー４の側面４１Ａ，４１Ｂ，４１Ｃ，４１Ｄ，４１Ｅに接触する接触面３２１と、遊技球を打球する打球面３２２とが形成されている。打球部３２は、エラストマーによって構成されている。
【００１５】
打球部３２は、プレート状本体部３１を金型に配置して樹脂のインサート成形を行って形成することができる。これにより、プレート状本体部３１に対して成形された打球部３２を組み付ける場合に比べて、打球槌３に成形誤差が生じにくくすることができ、打球槌３の発射方向及び発射強度にばらつきが生じにくくすることができる。
また、樹脂製の打球部３２を用いることによって、打球面３２２を平滑に形成することが容易である。さらに、ストッパー４に対して樹脂製の打球部３２が接触することにより、打球部３２が金属製である場合に比べてストッパー４に生じる摩耗を抑えることができる。
【００１６】
図１、図２に示すごとく、取付ベース２には、打球槌３によって打球する遊技球を規定位置に保持する着座部材６が取り付けられている。着座部材６は、取付ベース２の板面に取り付けられる取付板部６１と、取付板部６１から垂直に起立する起立板部６２Ａ，６２Ｂ，６２Ｃとを有している。また、起立板部６２Ａ，６２Ｂ，６２Ｃは、遊技盤に設けられた案内レールに向けて設けられた第１起立板部６２Ａと、第１起立板部６２Ａに対して上側が凹状となるＶ形状に屈曲して設けられた第２起立板部６２Ｂと、第２起立板部６２Ｂに対してさらに屈曲して設けられた第３起立板部６２Ｃとからなる。
【００１７】
図１に示すごとく、第１起立板部６２Ａと第２起立板部６２Ｂとには、遊技球が配置される切欠穴６３が連続して形成されている。遊技球は、第１起立板部６２Ａと第２起立板部６２Ｂとにおける切欠穴６３に配置されることによって規定位置に保持される。着座部材６に蓄積されるゴミ等は、切欠穴６３から下方へ排出することができる。打球槌３によって打球された後、遊技領域へ到達せずに戻ってくるファール球は、第３起立板部６２Ｃによって球発射装置１の内部に侵入することを防止することができる。また、このファール球は、第１起立板部６２Ａ及び第２起立板部６２Ｂによって受け止めることができる。
【００１８】
図１、図２に示すごとく、着座部材６の取付板部６１を取付ベース２に取り付けるための複数（本例では２つ）の位置決め突起６１１が裏面側に突出している。取付ベース２には、位置決め突起６１１が挿入されるための、遊技球の発射方向に沿って長い長穴２７が形成されている。着座部材６を取付ベース２に取り付ける際には、長穴２７に沿って着座部材６の位置を調整して、遊技球の発射強度及び発射方向の調整をすることができる。なお、取付ベース２に突起部を形成し、位置決め突起６１１を遊技球の発射方向に沿って長い長穴とすることもできる。この場合にも同様の作用効果を得ることができる。
本例の着座部材６は、板金を折り曲げて形成されている。一方、着座部材６は、樹脂部品から形成することもできる。また、着座部材６の一部は、取付ベース２又はカバー７から形成することもできる。
【００１９】
取付ベース２には、打球槌３が発射位置３０２に回動したときに、打球槌３におけるウェイト部３３が衝突する衝撃吸収ストッパー５が取り付けられている。衝撃吸収ストッパー５は、打球槌３の回動中心部３４よりも上方に取り付けられている。ストッパー４及び衝撃吸収ストッパー５は、弾性変形可能なエラストマーによって構成されている。
打球槌３は、打球部３２が設けられたアーム部３１１が回動中心部３４よりも下方に、ウェイト部３３が回動中心部３４よりも上方に位置して、駆動源２６の出力部２６１に取り付けられている。そして、打球部３２は、回動中心部３４に対する下方の位置において、待機位置３０１と発射位置３０２との間で往復回動する。
【００２０】
図１に示すごとく、取付ベース２における前面側には、打球槌３、ストッパー４、着座部材６、衝撃吸収ストッパー５を覆うカバー７が設けられている。同図において、カバー７は下方部分のみを示す。カバー７には、打球槌３に対する下方位置に、球発射装置１内に侵入したゴミ等を排出したり、作業者が打球槌３の槌先をメンテナンスするための作業口７５が形成されている。また、打球槌３を作業口７５が形成されたスペースを通過させて回動させることにより、打球槌３を可能な限り取付ベース２における下方に配置することができる。
【００２１】
図示は省略するが、球発射装置１におけるカバー７には、着座部材６へと遊技球を１球ずつ送り出す整流器を取り付けることができる。この場合には、整流器による球送りの精度を向上させることができる。この場合、カバー７によって整流器におけるベース部品を構成することができる。また、整流器を取り付けることによって球発射装置１におけるカバー７の一部をなくすことができる。また、整流器におけるカバーの全体又は一部は、球発射装置１におけるカバー７と一体成形することができる。
【００２２】
図１、図２に示すごとく、駆動源２６は、その出力部２６１に設けられたロータ２６２が、環形状（Ｃ形状）のコア２６３における隙間内で、磁気吸引力を受けて回動することによって動作する。ロータ２６２は強磁性体で構成されており、環形状のコア２６３における両端部には、コア２６３を通過する磁路を形成するためのコイル２６４がそれぞれ外装されている。そして、各コイル２６４に通電を行ったときには、コア２６３に形成される磁路とロータ２６２とが吸引されることによって、打球槌３が待機位置３０１から発射位置３０２へと回動する。また、各コイル２６４への通電を遮断したときには、打球槌３の自重によって、打球槌３が発射位置３０２から待機位置３０１へと回動する。
【００２３】
なお、駆動源２６は、ロータ２６２に磁石を設けて磁気反発力を利用した構成とすることもできる。この場合には、各コイル２６４に通電を行ったときにコア２６３に形成される磁路とロータ２６２の磁石とが反発することによって、打球槌３が待機位置３０１から発射位置３０２へと回動する。そして、各コイル２６４への通電を遮断したときには、打球槌３の自重、及びコア２６３とロータ２６２の磁石との間に生じる磁気吸引力によって、打球槌３が発射位置３０２から待機位置３０１へと回動する。
【００２４】
環形状のコア２６３は、上下方向に長い形状に形成されており、両端部が上下方向に向けられて取付ベース２に配置されている。取付ベース２の後面側には、一対のコイル２６４が配置される部位が凹状に形成されており、取付ベース２において凹状の部位に対する前面側には、一対の突出部２５が形成されている。
環形状のコア２６３が縦長の状態で取付ベース２に配置されていることにより、一対の突出部２５が、打球槌３の回動中心部３４を挟む上下方向に並んで形成されている。これにより、着座部材６を、一対の突出部２５に対する干渉を避けて回動中心部３４に近づけて配置することができる。そのため、打球槌３のアーム部３１１の長さを短くすることができ、球発射装置１全体の小型化を図ることができる。
【００２５】
図１に示すごとく、本例のストッパー４は、取付ベース２に設けられた軸部２１の回りの複数の取付姿勢に調整可能である。本例のストッパー４は、軸部２１の軸方向に対して平行な複数の側面４１Ａ，４１Ｂ，４１Ｃ，４１Ｄ，４１Ｅによって多角形状（本例では五角形状）に形成されている。取付ベース２の前面には、ストッパー４が取り付けられる位置に対向して、多角形状（本例では五角形状）の側面２２１を有する台座部２２が突出して形成されている。台座部２２は、各側面２２１の平面内の長さが等しい正五角形の形状に形成されている。
【００２６】
図３に示すごとく、ストッパー４は、五角形状に形成されており、ストッパー４における各側面４１Ａ，４１Ｂ，４１Ｃ，４１Ｄ，４１Ｅは、軸部２１の中心からの径方向長さが段階的（本例では５段階）に異なっている。具体的には、ストッパー４の取付姿勢は、ストッパー４における複数の側面（４１Ａ〜４１Ｅ）が打球槌３の初期の待機位置３０１の角度に合わせた角度で設定され、台座部２２との間でそれぞれ異なる角度となるように構成されている。なお、ストッパー４の側面４１Ａ，４１Ｂ，４１Ｃ，４１Ｄ，４１Ｅと台座部２２の側面２２１とが平行になる状態とし、両者の間隔を異ならせて打球槌３の初期の待機位置３０１の角度を調整できるようにしてもよい。打球槌３の打球部３２を、ストッパー４における複数の側面４１Ａ，４１Ｂ，４１Ｃ，４１Ｄ，４１Ｅのいずれに面接触させるかによって、打球槌３の回動量を、予め設定された複数段階（本例では５段階）の調整回動量に段階的に変更することができる。
【００２７】
図４に示すごとく、ストッパー４の裏面（台座部２２との対向面）には、軸部２１が挿通される中心穴４０を中心に五角形状の位置決め凹部４２が形成されており、台座部２２の表面（ストッパー４との対向面）には、位置決め凹部４２に係合する複数の係合突起２３が、軸部２１を中心に周方向に複数形成されている。ストッパー４の側面４１Ａ，４１Ｂ，４１Ｃ，４１Ｄ，４１Ｅと台座部２２の側面２２１とが概ね沿った状態になるときに、ストッパー４の位置決め凹部４２に対して台座部２２の係合突起２３が係合する。これにより、目視上、ストッパー４の切換位置の見当をつけることができ、ストッパー４を５段階の各取付姿勢に位置決めすることが容易である。
【００２８】
また、図３、図４に示すごとく、ストッパー４と取付ベース２とには、目視によって識別可能で、ストッパー４が、打球槌３の５段階の調整回動量を決定する各取付姿勢になったときに互いに照合する識別表示部２４，４４が設けられている。本例の識別表示部２４，４４は、ストッパー４の各側面４１Ａ，４１Ｂ，４１Ｃ，４１Ｄ，４１Ｅに形成されたストッパー溝４４と、台座部２２におけるいずれか一つの側面２２１の近傍に位置する前面に形成された台座溝２４とによって構成されている。台座溝２４は、側面２２１の形成方向に直交して形成され、側面２２１の形成方向に所定の間隔を空けて複数（本例では３つ）並んで形成されている。
【００２９】
複数のストッパー溝４４は、ストッパー４を各取付姿勢にする際に、３つの台座溝２４のうちのいずれかと位置が関連するように形成されている。打球槌３の打球部３２は、台座溝２４が形成された位置に合わせた側面４１Ａ，４１Ｂ，４１Ｃ，４１Ｄ，４１Ｅのいずれかに対して接触することにより、打球槌３の待機位置３０１が決定され、遊技球の発射強度を左右する調整回動量が決定される。
【００３０】
図３に示すごとく、ストッパー４を、打球槌３の最も大きな調整回動量を形成するための第１取付姿勢にするときには、第１側面４１Ａにおけるストッパー溝４４Ａが、３つの台座溝２４において周方向一方側に位置する台座部２４Ａに対向する。また、ストッパー４を、打球槌３の２番目に大きな調整回動量を形成するための第２取付姿勢にするときには、第２側面４１Ｂにおけるストッパー溝４４Ｂが、３つの台座溝２４において真ん中に位置する台座溝２４Ｂと周方向一方側に位置する台座部２４Ａとの間の位置に対向する。また、ストッパー４を、打球槌３の中間の（３番目に大きな）調整回動量を形成するための第３取付姿勢にするときには、第３側面４１Ｃにおけるストッパー溝４４Ｃが、真ん中に位置する台座溝２４Ｂに対向する。
【００３１】
また、ストッパー４を、打球槌３の２番目に小さな調整回動量を形成するための第４取付姿勢にするときには、第４側面４１Ｄにおけるストッパー溝４４Ｄが、真ん中に位置する台座溝２４Ｂと周方向他方側に位置する台座部２４Ｃとの間の位置に対向する。また、ストッパー４を、打球槌３の１番目に小さな調整回動量を形成するための第５取付姿勢にするときには、第５側面４１Ｅにおけるストッパー溝４４Ｅが、周方向他方側に位置する台座部２４Ｃに対向する。
こうして、ストッパー４の取付姿勢を５段階に変更するときには、各ストッパー溝４４が３つの台座溝２４に対するどこに位置するかを目視することによって、ストッパー４の取付姿勢を容易に識別することができる。
【００３２】
ストッパー４における各側面４１Ａ，４１Ｂ，４１Ｃ，４１Ｄ，４１Ｅの、軸部２１の中心からの径方向長さは、打球槌３の打球部３２が第３側面４１Ｃに接触するときが基準となる長さになっている。打球槌３の打球部３２が第２側面４１Ｂに接触するときには、打球槌３の回動角度が０．５°増加し（打球槌３の待機位置３０１が０．５°後退し）、打球槌３の打球部３２が第１側面４１Ａに接触するときには、打球槌３の回動角度が１°増加する。一方、打球槌３の打球部３２が第４側面４１Ｄに接触するときには、打球槌３の回動角度が０．５°減少し（打球槌３の待機位置３０１が０．５°前進し）、打球槌３の打球部３２が第５側面４１Ｅに接触するときには、打球槌３の回動角度が１°減少する。なお、この回動角度の設定はこれに限られず、５段階に回動角度が変化する種々の設定とすることができる。
【００３３】
図４、図５に示すごとく、ストッパー４の前面（カバー７との対向面）には、中心穴４０を中心に五角形状の固定凹部４３が形成されている。カバー７の裏面（ストッパー４との対向面）には、取付ベース２の軸部２１の外周に係合する複数の固定突起７１と、固定凹部４３に嵌り込む凸部７２とが形成されている。そして、ストッパー４の固定凹部４３には、カバー７の凸部７２が嵌まり込んで保持される。固定凹部４３の形状が位置決め凹部４２の形状と異なっている（本例では固定凹部４３が位置決め凹部４２よりも大きく形成されている）ことにより、ストッパー４の表裏を間違えてしまうことを防止することができる。
また、カバー７における複数の固定突起７１の中央部には、ビス７４を挿通させるための貫通孔７３が形成されており、取付ベース２の軸部２１の中心部には、貫通孔７３に対向する位置にビス７４を締め付けるためのネジ穴２２２が形成されている。
【００３４】
ストッパー４を軸部２１の回りに回動させていずれかの取付姿勢に調整した後、カバー７を取付ベース２に閉じることにより、カバー７によってストッパー４の取付姿勢を固定することができる。また、カバー７によって取付ベース２の台座部２２との間にストッパー４を挟持することにより、ストッパー４の過度の変形を防止することができる。
また、カバー７は、取付ベース２に対して一端部を支点に回動するよう開閉可能に設けることができる。この場合、カバー７を閉じることによってストッパー４を取付ベース２との間に挟持し、打球槌３の周辺の清掃等を行うメンテナンスの際に、カバー７を開けやすくすることができる。
【００３５】
本例の遊技機用の球発射装置１においては、球発射装置１の組立時等に、打球槌３による遊技球の発射強度を調整する際には、ストッパー４の取付姿勢を、打球槌３の５段階の調整回動量に合わせて５段階に変更することができる。これにより、組立時等においてストッパー４の取付姿勢の調整を専用の治具等を用いずに正確に行うことができる。
それ故、本例の球発射装置１によれば、ストッパー４の初期位置の調整によって、打球槌３による遊技球の発射強度の初期調整を正確かつ容易に行うことができる。
【００３６】
（実施例２）
本例は、打球槌３の調整回動量を段階的に変更することができるストッパー４に、上記実施例１とは異なる工夫を行った例を示す。
図６、図７に示すごとく、打球槌３が接触するストッパー４Ｘの側面４６１は、取付ベース２に設けられた軸部２１Ｘの中心からの半径距離が周方向に向けて徐々に異なる円弧状に形成することもできる。また、ストッパー４Ｘは、取付ベース２に取り付けられるストッパーベース部４５と、ストッパーベース部４５に保持されて、打球槌３に接触するストッパー接触部４６と、ストッパーベース部４５との間にストッパー接触部４６を挟持するストッパーカバー部４７とによって構成する。そして、打球槌３が接触するストッパー接触部４６の材質を、ストッパーベース部４５及びストッパーカバー部４７に対して異ならせている。
【００３７】
図７に示すごとく、ストッパー４Ｘは、取付ベース２の軸部２１Ｘの回りの複数の取付姿勢に調整可能である。同図においては、ストッパー４Ｘが他の取付姿勢になった状態を二点鎖線で示す。ストッパーベース部４５の裏面には、軸部２１Ｘの回りの取付姿勢を変更する際に、取付ベース２に設けられた係合突起２３Ｘに対して、それぞれ係合可能な位置決め凹部４２Ｘが複数形成されている。複数の位置決め凹部４２Ｘは、軸部２１Ｘの中心からの半径距離が同じになるように周方向に並んで形成されている。複数の位置決め凹部４２Ｘは、打球槌３に接触させるストッパー接触部４６の側面４６１の半径距離を５段階に変更して固定できるよう５つが並んで形成されている。
【００３８】
図６に示すごとく、ストッパー４Ｘは、係合突起２３Ｘをいずれかの位置決め凹部４２Ｘに係合させて、軸部２１Ｘの回りの取付姿勢を変更した後、ストッパーカバー部４７の表面から軸部２１Ｘの中心に設けられたネジ穴にビス７４を締め付けて固定される。そして、ストッパー４Ｘの軸部２１Ｘの回りの取付姿勢を段階的に変更して、打球槌３の調整回動量を段階的に変更することができる。
【００３９】
図８に示すごとく、打球槌３の打球部３２が接触するストッパー４Ａの側面４１Ｆは、多角形状の側面４１Ａ，４１Ｂ，４１Ｃ，４１Ｄ，４１Ｅに形成する以外にも、楕円形状に形成することもできる。この場合においても、ストッパー４Ａの裏面に形成された位置決め凹部４２Ａに、取付ベース２に形成された係合突起２３Ａを係合させて、ストッパー４Ａの取付姿勢を段階的に変更することができる。そして、軸部２１の中心から、打球槌３の打球部３２に接触するストッパー４Ａの側面４１Ｆまでの長さを段階的に変更して、打球槌３の調整回動量を段階的に変更することができる。
【００４０】
また、図９に示すごとく、ストッパー４Ｂは、取付ベース２に対してスライド可能な構造とすることもできる。この場合、打球槌３の打球部３２が接触する被接触面４１Ｇをスライド方向に並ぶ複数箇所（本例では３箇所）に形成して、打球槌３の打球部３２に接触する各被接触面４１Ｇの位置を段階的に異ならせることができる。各被接触面４１Ｇは、打球槌３の打球部３２が面接触するように、段階的な傾斜面によって形成されている。ストッパー４Ｂには、各被接触面４１Ｇが打球槌３の待機位置３０１を段階的に変更できるよう、ストッパー４Ｂのスライド位置を決定するための係合部４６が形成されており、取付ベース２には、係合部４６が係合する被係合部２８が形成されている。そして、ストッパー４Ｂをスライドさせるときには、係合部４６が被係合部２８に係合することにより、打球槌３の打球部３２が接触する被接触面４１Ｇを決定することができる。これにより、打球槌３の調整回動量を段階的に変更することができる。
【００４１】
また、図１０に示すごとく、打球槌３の調整回動量の段階的な変更は、ストッパー４Ｃと打球槌３Ａとの両方の構造を工夫して行うこともできる。
打球槌３Ａの打球部分における外面には、打球槌３Ａの停止角度を段階的に変化させるための段差接触面３１２を複数（本例では３つ）形成することができる。一方、取付ベース２に対するストッパー４Ｃの取付位置は、各段差接触面３１２の形成位置に合わせた複数箇所に形成することができる。そして、取付ベース２に対するストッパー４Ｃの取付位置を変更することにより、ストッパー４Ｃが接触する段差接触面３１２が変更され、打球槌３Ａの調整回動量を段階的に変更することができる。
その他、本例においても、球発射装置１の構成及び明示のない図面中の符号は上記実施例１と同様であり、上記実施例１と同様の作用効果を得ることができる。
【符号の説明】
【００４２】
１  球発射装置
２  取付ベース
２１  軸部
２４  台座溝（識別表示部）
２６  駆動源
２６１  出力部
３  打球槌
３０１  待機位置
３０２  発射位置
４  ストッパー
４１Ａ，４１Ｂ，４１Ｃ，４１Ｄ，４１Ｅ  側面
４４  ストッパー溝（識別表示部）
【図１】
2014226401.tif 000003
【図２】
2014226401.tif 000004
【図３】
2014226401.tif 000005
【図４】
2014226401.tif 000006
【図５】
2014226401.tif 000007
【図６】
2014226401.tif 000008
【図７】
2014226401.tif 000009
【図８】
2014226401.tif 000010
【図９】
2014226401.tif 000011
【図１０】
2014226401.tif 000012